(57)【要約】【課題】回転蓄熱体による熱交換方式が採用された熱改質装置において、２流体間における相互のガス混入を抑制・防止して、燃料ガスの発熱量低下を防止するとともに、蓄熱体の破損や損耗発生時の補修・交換作業を容易とする熱改質装置を提供する。【解決手段】耐火製の炉壁１２と、その内部を燃焼室１５と改質室１４に区画する隔壁１３と、隔壁１３の先端に対向して設けられた炉壁１２の開口部に配置された回転式の蓄熱体２とを備え、燃焼室１５で発生させた燃焼ガスＥＧを通過させて蓄熱体２に給熱するとともに、改質室１４に導入する原料ガスＳＧを蓄熱体２との熱交換により昇温させて改質する熱改質装置１において、蓄熱体２と隔壁１３の先端間で生じる燃焼室１５と改質室１４間でのガス混入を防止する圧力制御装置と、蓄熱体２の背面で生じるガス混入を防止する水蒸気噴射手段とを備えている。【選択図】  図１
2007261908.tif 000002
【特許請求の範囲】
【請求項１】
耐火製の炉壁と、その内部を燃焼室と改質室に区画する隔壁と、該隔壁の先端に対向して設けられた該炉壁の開口部に配置された回転式の蓄熱体とを備え、前記燃焼室で発生させた燃焼ガスを通過させて前記蓄熱体に給熱するとともに、前記改質室に導入する原料ガスを前記蓄熱体との熱交換により昇温させて改質する熱改質装置において、
前記蓄熱体と前記隔壁の先端間で生じる前記燃焼室と前記改質室間でのガス混入を防止する圧力制御装置と、前記蓄熱体の背面で生じるガス混入を防止する水蒸気噴射手段とを備えたことを特徴とする熱改質装置。
【請求項２】
耐火製の炉壁と、その内部を燃焼室と改質室に区画する隔壁と、該隔壁の先端に対向して設けられた該炉壁の開口部に配置された回転式の蓄熱体とを備え、前記燃焼室で発生させた燃焼ガスを通過させて前記蓄熱体に給熱するとともに、前記改質室に導入する原料ガスを前記蓄熱体との熱交換により昇温させて改質する熱改質装置において、
前記蓄熱体は、中央部分に複数体配列された、複数条のガス流路を有するハニカム体と、その外周に配置されたガス流路を持たない耐熱部材から構成されたことを特徴とする熱改質装置。
【発明の詳細な説明】
【技術分野】
【０００１】
本発明は、原料となるガスと水蒸気を高温下で反応させて、水素、一酸化炭素を含む改質ガスを生成する改質装置に関し、詳しくは、改質反応において触媒を使用しない熱改質装置に関する。
【背景技術】
【０００２】
廃棄物やバイオマス等を循環資源と位置付け、固形燃料として有効利用を図るとともに、排出・供給源に近接して処理可能な分散型システムを提供しようとする技術開発が活発となっている。固体燃料をガス化し、得られたガスを燃料として精製利用する熱分解ガス化・改質システムもその一つである。
【０００３】
このシステムにおいて、固体燃料の熱分解により得られる熱分解ガス中には、水素や一酸化炭素等の可燃性ガスに加えて、タール分や煤等の可燃性の重質炭化水素が含まれており、特にタール分は熱分解ガスが冷却されると凝固するため、配管等の閉塞を引き起こす原因になっている。
【０００４】
改質装置は、高温下で熱分解ガス中のタール分等の重質炭化水素を改質して、可燃性ガスに転換させるとともに、ガスを高発熱量化させることを目的に使用されるものであり、タール分の改質により、凝固の問題も解決されることになる。従来の改質装置としては、特許文献１に開示されたものがある。
【０００５】
図５は、特許文献１に示された従来の改質装置の概略構造を示す縦断面図であり、図６は、この改質装置を備えた熱分解ガス化・改質設備の一例を示す概略構成図である。
【０００６】
図５及び図６において、１００は改質装置であり、耐火材料で構築された炉壁１０１と、該炉壁１０１内部を改質室１０３と燃焼室１０４に分割する耐火性の隔壁１０２と、この両室の底部に跨って回転可能に配設された蓄熱体１２０とにより主体が構成されている。
【０００７】
改質室１０３下部には、後述の熱分解ガスＴＧが導入される導入室１０５が、上部には改質ガス排出口１０６が配設され、燃焼室１０４下部には排ガス室１０７が、上部には燃料噴射口１０８とガスバーナ１０９とがそれぞれ配設されている。また、改質室１０３と燃焼室１０４には、それぞれの内部温度を計測する温度計１１０、１１１が設けられている。
【０００８】
上記蓄熱体１２０は、その全体が略円筒形状であり、その回転軸付近から順に、耐熱性の中心部１２１と、ガス通過部分となるハニカム形状の頂部１２２と、耐熱性の周囲部１２３が配置されて、一体に形成されている。上記中心部１２１の下方には、駆動軸１２４が連結されており、外部の駆動手段１２５によって、蓄熱体１２０全体が回転されるように構成されている（図５参照）。
【０００９】
次に、このような構造を有する従来の改質装置１００を、固形燃料の熱分解ガス化・改質システムに適用したときの運転状況について、図６を参照して説明する。
【００１０】
まず、補助燃料ＡＦをガスバーナ１０９に供給して燃焼させ、予熱された燃焼室１０４内温度が規定値を超えた状態で、上記予熱により昇温された蓄熱体１２０の回転を始め、蓄熱体１２０を加熱して温度低下した燃焼ガス（排ガス）ＥＧは、ガス洗浄・浄化装置２０２または冷却器２０１に排出される。
【００１１】
熱分解ガス化炉２００において廃棄物やバイオマス等の固形燃料ＲＦをガス化して、発生した熱分解ガスＴＧは、改質装置１００の導入室１０５に送入されたのち、改質室１０３への上昇時に通過する蓄熱体１２０で加熱されて低温粗燃料ガスＬＧとなり、改質ガス排出口１０６から冷却器２０１を経てガス洗浄・浄化装置２０２により無害化されて、排気筒２０３から大気中に放出される。
【００１２】
この始動運転により、改質室１０３内の温度が設定値を超えてくれば、冷却器２０１の熱交換により給水ＷＳが加熱されて発生した低温水蒸気ＬＳを熱分解ガスＴＧに混合させて原料ガス（混合ガス）ＳＧとし、上述の補助燃料ＡＦの燃焼により加熱される蓄熱体１２０を通過させて昇温させることで、タール等が改質されて高発熱量化された高温の粗燃料ガスＨＧに改質される。
【００１３】
この粗燃料ガスＨＧは、冷却器２０１を経てガス洗浄・浄化装置２０２に送られて精製された燃料ガスＦＧとなって、エネルギー利用設備２０４で有効利用される。また、必要に応じて、その一部は、補助燃料ＡＦの代わりにガスバーナ１０９の燃料に使用されるようになっている。
【特許文献１】特開２００４−１６８８７２号公報
【発明の開示】
【発明が解決しようとする課題】
【００１４】
図５に示す従来の改質装置１００では、補助燃料ＡＦを燃焼させて得た高温のガスを回転する蓄熱体１２０に通過させて、蓄熱体１２０を加熱するとともに、上記高温のガスに対して原料ガスＳＧを向流にして上記蓄熱体１２０を通過させることにより、この２流体間での熱交換を行い、原料ガスＳＧを熱改質に必要な温度まで昇温させる給熱方式が採用されている。
【００１５】
しかし、熱改質に必要な高温下では、耐熱性の面で使用可能な材料の制約が大きいことから、蓄熱体１２０の回転部と改質装置１００の固定部間でのシール性を確保することが困難であったため、熱交換する２流体間における相互のガス混入（リーク）の発生によって、燃料ガスＦＧの発熱量が低下し易いという問題があった。
【００１６】
また、蓄熱体１２０は、上述のように３種類の部材を一体に形成して製作されていたため、一部分の破損であっても、蓄熱体１２０全体の交換が必要となって費用が嵩むだけでなく、汎用品を使用できないため、補修時の部品納入に時間が掛かるという問題があった。
【００１７】
そこで、本発明は、上記従来技術の問題点を解決し、回転蓄熱体による熱交換方式が採用された熱改質装置において、２流体間における相互のガス混入を抑制・防止して、燃料ガスの発熱量低下を防止することを目的とする。
【００１８】
また、本発明の第２の目的は、蓄熱体の破損や損耗発生時の補修・交換作業を容易とする熱改質装置を提供することを目的とする。
【課題を解決するための手段】
【００１９】
請求項１に係る発明は、耐火製の炉壁と、その内部を燃焼室と改質室に区画する隔壁と、該隔壁の先端に対向して設けられた該炉壁の開口部に配置された回転式の蓄熱体とを備え、前記燃焼室で発生させた燃焼ガスを通過させて前記蓄熱体に給熱するとともに、前記改質室に導入する原料ガスを前記蓄熱体との熱交換により昇温させて改質する熱改質装置において、前記蓄熱体と前記隔壁の先端間で生じる前記燃焼室と前記改質室間でのガス混入を防止する圧力制御装置と、前記蓄熱体の背面で生じるガス混入を防止する水蒸気噴射手段とを備えたことを特徴とする。
【００２０】
請求項２に係る発明は、耐火製の炉壁と、その内部を燃焼室と改質室に区画する隔壁と、該隔壁の先端に対向して設けられた該炉壁の開口部に配置された回転式の蓄熱体とを備え、前記燃焼室で発生させた燃焼ガスを通過させて前記蓄熱体に給熱するとともに、前記改質室に導入する原料ガスを前記蓄熱体との熱交換により昇温させて改質する熱改質装置において、前記蓄熱体は、中央部分に複数体配列された、複数条のガス流路を有するハニカム体と、その外周に配置されたガス流路を持たない耐熱部材から構成されたことを特徴とする。
【発明の効果】
【００２１】
本発明に係る熱改質装置によれば、廃棄物やバイオマス等の固形燃料だけでなく、灯油、軽油等の液体化石燃料及びこれらの廃油類、或いは都市ガスやブタン等の気体燃料を元にして、水素や一酸化炭素を主体とするガスを生成・回収することができる。
【００２２】
また、請求項１に係る発明によれば、熱改質装置に圧力制御装置や水蒸気噴射手段を設けたことにより、原料ガスと燃焼ガスの間におけるガス混入を抑制・防止することができ、改質されたガスの発熱量の低下を低減して、高い発熱量の燃料ガスを得ることができる。
【００２３】
さらに、請求項２に係る発明によれば、蓄熱体の中央部分に複数のハニカム体を並べて配置し、破損や損耗等が生じた不具合箇所のみを交換可能としたため、補修・交換が容易となり、補修経費が節減できる。
【００２４】
上記のような熱改質装置の安定運転に寄与する優れた特徴を有する。
【発明を実施するための最良の形態】
【００２５】
以下、本発明の実施の形態について、図面に基づいて説明する。なお、背景技術の図面で説明した物質や装置と同一のものには同一の符号を付し、詳細説明は省略する。
【００２６】
まず、熱改質装置の構造を中心に、熱分解ガス化・改質設備に適用した構成例について説明する。
【００２７】
図１は、本発明に係る熱改質装置の構造の一例を示す縦断面図であり、図２は、本発明に係る熱改質装置を用いた熱分解ガス化・改質設備の一例を示す構成図である。
【００２８】
図１及び図２において、１は、熱改質装置であって、鋼製で直方体形状の第１ケーシング１１に囲繞されるセラミックス等の耐火性材料で構築された炉壁１２と、該炉壁１２内部を改質室１４と燃焼室１５に区画する、上部・側部が炉壁１２に固着され、かつ、下部のみが先端を固定されずに配置された耐火性の隔壁１３と、該隔壁１３の先端に対向して、前記改質室１４と燃焼室１５に跨るように、前記第１ケーシング１１及び炉壁１２に設けられた開口部に配設された蓄熱体２により主体が構成されている。
【００２９】
また、改質室１４の上部には改質ガス排出管１６が、燃焼室１５の上部にはバーナ装置１７が夫々配置されている。さらに、改質室１４の内部には、内部温度計測のための改質室温度計１１０と圧力計測用の改質室圧力ノズル１４ｐが設けられるとともに、燃焼室１５の内部には、燃焼室温度計１１１と燃焼室圧力ノズル１５ｐが設けられている。
【００３０】
蓄熱体２は、耐熱性材料により略円筒形状に形成され、中央部分に配置された導通部２１と、該導通部２１の外周を囲んで配置された周囲部（耐熱部材）２２から構成されている。蓄熱体２の上面は、前記隔壁１３の先端にほぼ接して（微少な間隔を空けて面して）配置されており、その下面は、下方にある鋼製の回転台２３に接し、全体が戴置されている。
【００３１】
該回転台２３には、駆動軸２４が連結されるとともに、駆動軸２４を通じて回転台２３を回転させる駆動手段２５が設けられており、回転台２３とともに蓄熱体２を回転できるようになされている。
【００３２】
３は、前記蓄熱体２が載置された回転台２３を支持する鋼製の第２ケーシングであり、その上端には環状の鍔部３１が設けられている。該鍔部３１の中間には、前記回転台２３を滑らかに回転させるためのベアリング等を用いた摺動手段３２が環状に設けられるとともに、該鍔部３１の外周付近において、定着ボルト等を用いて第２ケーシング３を第１ケーシング１１に定着するように構成されている。
【００３３】
前記第２ケーシング３の内面は、ガスダクトの役割を兼ねており、前記改質室１４側の側面下部には原料ガス導入管３３が、燃焼室１５側の側面下部には燃焼ガス排出管３４が接続されるとともに、蓄熱体２で熱交換される２つのガス流路を左右に区画する一対の仕切体３５，３５［図３（ａ）参照、図２においては手前側のみ図示］が、前記駆動軸２４が収容される中心部の内筒３６の前後に配置されている。なお、原料ガス導入管３３には、当該部分の圧力計測用の入口圧力ノズル３９が設けられている。
【００３４】
前記仕切体３５，３５は、その側部の２面を前記第２ケーシング３、内筒３６と共通とし、上部と底部が平面視で等脚の台形状（後記図３参照、実際には二辺が円弧である）とされた、内部が空洞で箱型に形成された部材であり、上記２つのガス流路間で相互のガス混入が発生しないように、できるだけ前記回転台２３の底面に近接する高さ（回転台２３の回転を阻害せず、底面と接触しない程度）にその上面が位置するように配置されている。
【００３５】
第２ケーシング３の表面に設けられた水蒸気送入口３７を介して、仕切体３５，３５内部には水蒸気ＬＳが導入されるようになっており、仕切体３５，３５の上面に開けられた複数の水蒸気ノズル３８から、回転台２３の底面に向けて水蒸気が噴射される構造となっている。
【００３６】
また、第２ケーシング３は、前記鍔部３１を第１ケーシング１１に定着させる定着ボルト類を取り外すことにより、回転台２３上に戴置された蓄熱体２ごと、第１ケーシング１１から容易に取り外せるため、蓄熱体２の点検・清掃が簡単にできるようになっている。
【００３７】
図２に示す熱分解ガス化・改質設備は、熱分解ガス化炉２００と、上記の熱改質装置１と、パッケージボイラ等の蒸気発生装置４０と、熱改質装置１におけるガス改質によって生成された改質ガスＲＧを減温させる減温装置４１と、バグフィルタ等のガス浄化装置４２と、改質ガスＲＧを誘引するための誘引通風機４３と、湿式洗浄塔４４とが備えられており、ガス浄化・洗浄による精製後の燃料ガスＦＧは、エネルギー利用設備２０４に送られて、発電や燃料電池等の用途に使用される。なお、ＲＳは、熱分解反応後の残渣である。
【００３８】
また、燃焼ガス排出管３４の下流には、インバータ方式等の回転数制御可能な排気ファン５０が配置されるとともに、別途、前記改質室圧力ノズル１４ｐと燃焼室圧力ノズル１５ｐの圧力値に基づき、前記排気ファン５０を制御して改質室１４と燃焼室１５との差圧を調節する圧力制御装置５１が設けられている。
【００３９】
蒸気発生装置４０から供給される低温水蒸気ＬＳは、熱分解ガス化炉２００に送入されてガス化剤として利用される他、熱分解ガスＴＧに添加し、原料ガスＳＧとして熱改質装置１における水蒸気改質反応に用いられるとともに、上述の仕切体３５，３５の上面から回転台２３の底面に向けて水蒸気を噴射するための水蒸気送入口３７と、水蒸気ノズル３８からなる水蒸気噴射手段への供給に使用される。
【００４０】
次に、熱改質装置１における蓄熱体２と回転台２３及び、第２ケーシング３の仕切体３５，３５を含む構造の詳細について、図３に基づいて説明する。
【００４１】
図３は、（ａ）が蓄熱体２の断面構造を示す図１におけるＡ―Ａ線視図、（ｂ）が回転台２３の断面構造を示す図１におけるＢ−Ｂ線視図、及び（ｃ）が第２ケーシング３の上部平面構造を示す図１におけるＣ−Ｃ線視図である。
【００４２】
蓄熱体２の構造は、図３（ａ）に示すようにその中央部分を形成する導通部２１が複数のハニカム体２６で構成されている。具体的には、平面視正方形状のハニカム体２６（例えば、ハニカム格子数：１３３ｃｅｌｌ／ｉｎ2 、格子寸法：２．２ｍｍ×２．２ｍｍ、壁の厚み：０．３ｍｍ、穴のみの大きさ：１．９ｍｍ×１．９ｍｍ、材質：ＳｉＯ2   、Ａｌ2 Ｏ3 、ＭｇＯ）を複数個並べて（図示は９体）導通部２１が構成されている。
【００４３】
この複数のハニカム体２６のガタツキを防止するため、例えば、導通部２１（ハニカム体２６）の外周下側に、複数本の鋼製の固定バンド２７（図示は４本）を配するとともに、その端部同士を連結する接合手段２８（図示は４箇所）が設けられている。該接合手段２８は、回転台２３の上面に配設された図示しない係止金具に共締めされており、複数の固定バンド２７で胴巻きされたハニカム体２６の全体を回転台２３上に固定できるようになされている。
【００４４】
複数のハニカム体２６で形成された導通部２１の外側は、耐熱性部材からなる周囲部２２で囲繞されており、該周囲部２２は、導通部２１（ハニカム体２６）の移動を規制するとともに、導通部２１を破損・摩耗等から保護する役割を果たしている。また、周囲部２２の下部内側は、前記固定バンド２７の接合手段２８を設ける空間を確保できるように、若干後退されて空間が拡張されるように形成されている（図中点線部分及び図１参照）。
【００４５】
このように、導通部２１を複数のハニカム体２６を並列に配置して形成させるようにしたことにより、蓄熱体２に破損や損耗等が発生した場合でも、修理が必要となったハニカム体２６のみを交換することにより、容易に性能を回復させることができ、補修費用が節減できる。
【００４６】
なお、導通部２１を形成するハニカム体２６の中央部分から遠い箇所（図３（ａ）で一点鎖線で示す下記環状部２３１の内径よりも外側部分となる角部）は、後記回転台２３の環状部２３１に戴置されているため、ガス通路が遮断された状態となっており、運転時にガスの通過は生じない（図３（ｂ）参照）。
【００４７】
回転台２３は、図３（ｂ）に示すように、蓄熱体２と略同一の外径の環状部２３１と中心部の軸受２３２と、該軸受２３２と環状部２３１とをつなぐように当該軸受２３２から放射状に延びる複数の連結板２３３からなり、該連結板２３３の間をガスが通過できるように構成されている。軸受２３２には前記駆動軸２４が連結されて、回転台２３とともに上部の蓄熱体２を回転できるようになされている。
【００４８】
第２ケーシング３は、図３（ｃ）に示すように、その上端に設けられた鍔部３１の中央に設けられた摺動手段３２により上部の回転台２３の荷重を支持しながら回転させるとともに、駆動軸２４が収容される中心の円筒３６と第２ケーシング３の側面の間に配設された一対の仕切体３５，３５の上面には、複数の水蒸気ノズル３８（図示は各３個）が設けられている。
【００４９】
上述のように仕切体３５，３５に供給された水蒸気ＬＳが、水蒸気ノズル３８から、上方に配置された回転台２３の底面に向けて噴射されることにより、仕切体３５，３５と回転台２３の間の隙間には上記噴射した水蒸気によってシール作用が発生する。この結果、蓄熱体２（回転台２３）の背面において、原料ガスＳＧと燃焼ガスＥＧの流路は水蒸気により隔てられ、相互のガス混入を防止できるため、改質・精製される改質ガスＲＧや燃料ガスＦＧの発熱量の低下を防止することができる。
【００５０】
なお、回転台２３の連結板２３３は、環状部２３１と軸受２３２の間に一定間隔で配置され、平面視で台形状に形成されたガスの通路が複数路（図示は１８個）設けられている。この通路の１つを形成する一組の連結板２３３の間隔と等しくなるように、各仕切体３５の上面の寸法が設定されており、極僅かな間隔とされた該上面と回転台２３の底面とは、それらの一部分が、回転台２３の回転位置に拘わらず、常時ガスの通過方向で重なることによってシール性が高められている。
【００５１】
また、前記仕切体３５，３５は、蓄熱体２と回転台２３の回転方向と、逆回転方向にオフセットして配置（台形形状の上面の一辺が、前記隔壁１３と平行になる位置）されており、回転中の蓄熱体２を通過した原料ガスＳＧ（または燃焼ガスＥＧ）が燃料室１５（原料ガス導入管３３）側に移行しないように規制している。
【００５２】
次に、このような構造の改質装置を用いた熱分解ガス化・改質方法について、熱改質装置１における改質状況を中心に、図１及び図２を参照して説明する。
【００５３】
まず、蓄熱体２の回転を開始するとともに、補助燃料ＡＦと燃焼用空気をバーナ装置１７に供給して燃焼させ、発生した燃焼ガスＥＧで燃焼室１５内を予熱する。この燃焼ガスＥＧは、燃焼室１５からハニカム型の導通部２１を通過する際に蓄熱体２を加熱するとともに温度低下し、排気ファン５０の吸引により燃焼ガス排出管３４から排出されて、図示しない下流のフレアスタックにより完全燃焼されてから、大気中に放出される。
【００５４】
さらに、蒸気発生装置４０から水蒸気ＬＳを単独で原料ガス導入管３３に向けて送入し、蓄熱体２の導通部２１を経由して改質室１４に流入・通過させることにより、改質室１４内のガスパージを行うとともに、上記加熱により蓄熱された蓄熱体２から熱供給してこの水蒸気を加熱し、改質室１４内を昇温させる。
【００５５】
改質室温度計１１０で計測される改質室１４内の温度が所定温度を超えたのち、廃棄物やバイオマス等の固形燃料ＲＦを熱分解ガス化炉２００に供給しながら、ガス化剤として空気及び水蒸気ＬＳを送入することにより、固形燃料ＲＦが該熱分解ガス化炉２００内で熱分解燃焼されるとともに、タール分を含む熱分解ガスＴＧを発生させる。
【００５６】
該ガス化炉２００から排出される熱分解ガスＴＧには、水蒸気ＬＳを混合させて原料ガスＳＧとし、常圧のまま原料ガス導入管３３から改質室１４に送入させる。この場合、固形燃料ＲＦの含水率にもよるが、水蒸気改質反応に適した原料ガスＳＧのＳ／Ｃ（例えば、２．５〜４．０程度）となるように、熱分解ガスＴＧに混合される水蒸気ＬＳの量が設定される。
【００５７】
なお、ガスシールのために前記水蒸気ノズル３８から噴射した水蒸気の一部は、仕切体３５，３５の上部から原料ガスＳＧに混入されるため、この混入相当量を熱分解ガスＴＧに混合する水蒸気ＬＳから減らすようにしても良い。また、噴射した水蒸気の残余分は、燃焼ガスＥＧに同伴されて燃焼ガス排出管３４から排出される。
【００５８】
原料ガスＳＧは、改質室１４への上昇時に、高温化された蓄熱体２のハニカム体２６からなる導通部２１を極短時間（例えば０．０１〜０．０２秒程度）で通過して所定の改質温度まで一気に昇温されるとともに、ガス中の水蒸気とタール分等を含む炭化水素の改質反応によって、タール分が分解された水素や一酸化炭素を含む可燃性のガス（改質ガスＲＧ）に改質される。
【００５９】
このように蓄熱体２を回転させて、燃焼室１５で発生する燃焼ガスＥＧが保有する顕熱を蓄熱しながら、原料ガスＳＧへの給熱を続けることにより、吸熱反応である水蒸気改質に必要な熱量が継続的に供給される。
【００６０】
改質反応により生成された改質ガスＲＧは、誘引通風機４３で吸引されるとともに、下流の減温装置４１で２００℃程度以下に降温されてから、ガス浄化装置４２でばいじんや酸性有害物質等が除去されたのち、湿式洗浄塔４４を経由してガス精製された燃料ガスＦＧとしてエネルギー利用設備２０４に供給されて利用される。
【００６１】
次に、熱改質装置１の制御について説明する。
【００６２】
改質室１４と燃焼室１５の内部温度は、各々に設けられた改質室温度計１１０及び燃焼室温度計１１１で計測・監視されており、蓄熱体２を介して改質室１４の内部温度を設定値に保持するように、バーナ装置１７への燃料供給量や燃焼用空気ＡＧの流量を調節して温度制御がなされている。
【００６３】
この改質室１４の内部温度の設定値は、改質効率及び経済性の面から９００〜１４００℃であり、好ましくは１１５０〜１２５０℃である。
【００６４】
また、蓄熱体２の表面と隔壁１３の先端は、熱膨張により双方が接触し、ハニカム体２６が破損することのないように僅かな間隔を空けて配置されているが、その隙間からの、改質室１４と燃焼室１５相互間のガス混入（リーク）を抑制・防止するため、改質室１４と燃焼室１５との差圧を、改質室圧力ノズル１４ｐと燃焼室圧力ノズル１５ｐから得られた圧力値の比較演算により算出し、この差圧が零となるように排気ファン５０の吸引能力を回転数により調節する制御を、圧力制御装置５１により行っている。
【００６５】
さらに、圧力制御装置５１では、蓄熱体２の圧損を、改質室１４の入口側に設けられた入口圧力ノズル３９と改質室圧力ノズル１４ｐからの圧力値により算出して、規定値と比較することにより、蓄熱体２の導通部２１に、タール等による目詰まりの発生がないか監視している。
【００６６】
なお、上記の制御は、従来の蓄熱体（１２０）を設けた場合にも使用可能であるが、中心部（１２１）に高強度の材料を選択できる蓄熱体（１２０）に対して、中央部分の強度の低い蓄熱体２では、より安全側の隙間設定を破損防止に要するため、圧力制御の役割はより大きなものになっている。
【００６７】
また、本実施の形態では、熱改質装置１において蓄熱体２が改質室１４と燃焼室１５の下方に配置される構造として説明したが、熱改質装置１は、図１のような縦置きだけでなく、その他の配置（例えば、横置き）でも良く、また、第１ケーシング１１の形状は、直方体形状に限らず、円筒形や多面体等の形状も適宜選択可能である。
【００６８】
さらに、蓄熱体２の中央部分に配置されるハニカム体２６の形状は、上述のような平面視正方形状でなく、例えば、正六角形状等の多角形状でも差し支えなく、中心部等に空隙部分が生じる場合には、耐熱性部材を充填することができる。そして、複数のハニカム体２６の固定方法は、図３（ａ）に例示した４本の固定バンド２７と係止手段２８による構成に限られず、固定バンド２７等の数量を変更しても、その他の固定方法を用いても良い。
【００６９】
また、蓄熱体２の厚さ及び挿入位置（高さ）は、炉壁１２と段差を設けても一致させて配置しても良く、導通部２１の目詰まり監視のために、改質室１４内の改質室圧力ノズル１４ｐを使用しないで、別途、圧力ノズルを改質ガス排出管１６以降の流路に設けても良い。
【００７０】
続いて、他の実施の形態について説明する。図４は、本発明に係る熱改質装置を用いた水素製造設備の一例を示す構成図である。なお、既に説明した物質や装置と同一のものには同一の符号を付し、詳細説明は省略する。
【００７１】
図４において、灯油、軽油等の液体化石燃料やこれらの廃油等を原料として貯留する原料タンク６０と、原料ポンプ６１と、原料を加熱・気化させる原料蒸発器６２と、蒸気発生装置４０により、原料供給装置が構成されており、原料蒸発器６２によって気化された原料に、水蒸気ＬＳが混合された原料ガスＭＧは、上述の予熱操作によって、改質温度にまで昇温された改質室１４に向けて原料ガス導入管３３に送入される。
【００７２】
この原料ガスＭＧは、蓄熱体２のハニカム型の導通部２１を通過しながら所定の改質温度まで一気に昇温されるとともに、含有する水蒸気と炭化水素の改質反応により、水素や一酸化炭素を含む可燃性のガス（改質ガスＲＧ）に改質される。
【００７３】
熱改質装置１における改質反応により生成された改質ガスＵＧは、改質ガス排出管１６から排出されて、原料蒸発器６２において熱交換により降温されたのち、熱回収ユニット６３においてさらに熱回収及び冷却が行われ、圧縮機６４で昇圧されてから、後続の水素精製装置６５に送入されて製品水素ＨＨが精製される。
【００７４】
さらに、水素精製装置６５で水素分離がなされた残余のオフガスＯＧは、オフガスホルダ６６に貯留されるとともに、オフガスブロワ６７により前記バーナ装置１７の燃料として混合制御弁６８を介して流量調節されて供給される。
【００７５】
この実施の形態では、本発明の熱改質装置１を用いて液体燃料から水素を主体とする可燃性ガスを製造し、発電や燃料電池等の用途に使用することができる。また、原料供給装置を簡略化した同様の構成により、ＬＰＧ等の炭化水素系ガスからの水素製造設備として利用することも可能である。
【図面の簡単な説明】
【００７６】
【図１】本発明に係る熱改質装置の構造の一例を示す縦断面図である。
【図２】本発明に係る熱改質装置を用いた熱分解ガス化・改質設備の一例を示す構成図である。
【図３】（ａ）が蓄熱体２の断面構造を示す図１におけるＡ―Ａ線視図、（ｂ）が回転台２３の断面構造を示す図１におけるＢ−Ｂ線視図、及び（ｃ）が第２ケーシング３の上部平面構造を示す図１におけるＣ−Ｃ線視図である。
【図４】本発明に係る熱改質装置を用いた水素製造設備の一例を示す構成図である。
【図５】従来の改質装置の概略構造を示す縦断面図である。
【図６】従来の改質装置を備えた熱分解ガス化・改質設備の一例を示す概略構成図である。
【符号の説明】
【００７７】
１  熱改質装置
１２  炉壁
１３  隔壁
１４  改質室
１５  燃焼室
２  蓄熱体
２２  耐熱部材（周囲部）
２６  ハニカム体
３８  水蒸気ノズル
５１  圧力制御装置
ＥＧ  燃焼ガス
ＳＧ  原料ガス
【図１】
2007261908.tif 000003
【図２】
2007261908.tif 000004
【図３】
2007261908.tif 000005
【図４】
2007261908.tif 000006
【図５】
2007261908.tif 000007
【図６】
2007261908.tif 000008